(57)【要約】【課題】  高断熱、高機密の住宅内で焼き魚をすると、焼き魚の匂いが室内に籠もり、数日間は悪臭として残留してしまう。それが堪らなく嫌なので、魚は家では焼かない。各家庭で焼き立ての旨い焼き魚を食するようにするには、各家庭で焼き魚をしても、焼き魚の匂いが出ないようにすれば、問題の大半は解決される。本発明は、かかる課題の解消を図るために開発したものであり、芳香を放つ紅茶を用いて、焼き魚をしても大半の匂いを吸着し、焼き魚の匂いが消臭される焼き魚用消臭パックを提供しようとするものである。【解決手段】【請求項１】  通気性を有する難燃性ペーパー状素材を用いて、紅茶を小ブロック形状に連接封入したことを特徴とする焼き魚用消臭パック。【選択図】  図１
2005279208.tif 000002
【特許請求の範囲】
【請求項１】
通気性を有する難燃性ペーパー状素材（１）、（１）を用いて、紅茶（２）、（２）を小ブロック形状に連接封入したことを特徴とする焼き魚用消臭パック。
【請求項２】
紅茶（２）、（２）と共に、吸水剤（３）、（３）を小ブロック形状に連接封入したものである請求項１記載の焼き魚用消臭パック。
【発明の詳細な説明】
【技術分野】
【０００１】  本発明は、家屋内で焼き魚をしても、紅茶の芳香で焼き魚の匂いが家屋内に殆ど残らない焼き魚用消臭パックに関するものである。
【背景技術】
【０００２】  四方を海に囲われた日本では、古から魚を捕り、食することを習わしとする民であった。中でも魚の干物は、魚を天日で干すことによって、日保ちがするばかりか、その旨味が一段と加増されることから、一般に広く楽しまれる食品であった。
【発明の開示】
【発明が解決しようとする課題】
【０００３】  焼き魚は、日本人にとって伝統的な食文化といえるものであった。ところが、近年はその焼き魚を各家庭で焼かなくなったという現象が増加している。その原因は、時代と共に変化する食生活の変節という一面も考えられる。しかし、その最大の原因は、焼き魚の匂いにあることが分かってきた。近年建築される家屋は、建築資材の研究進歩に伴い、高断熱、高機密の住宅が増大の一途を辿っている。高断熱、高機密の住宅内で焼き魚をすると、換気扇を働かしても、焼き魚の匂いが室内に籠もり、数日間は悪臭として残留してしまうのである。それが堪らなく嫌なので、魚は家では焼かない。焼き魚は、多少味は落ちても、スーパーマーケットなどの店から、焼き魚として売っているものを買ってきて食べる。これが、今日の日本社会における大半の焼き魚食文化の実態となっている。しかるに、一旦焼いた魚を炙って温かくして食するのと、焼き立ての熱々の魚を食するのとでは、比較にならぬほどその旨さが違うのである。各家庭で焼き立ての旨い焼き魚を食するようにするには、各家庭で焼き魚をしても焼き魚の匂いが出ないようにすれば、問題の大半は解決されるのである。本発明は、かかる課題の解消を図るために開発したものであり、芳香を放つ紅茶を用いて、焼き魚をしても大半の匂いを吸着し、焼き魚の匂いが消臭される焼き魚用消臭パックを提供しようとするものである。本発明の出願にあたり、先行技術として類似の出願があるか否かについて調査をしてみたが、そのようなものは見当たらなかった。
【課題を解決するための手段】
【０００４】  上記目的を達成するために、本発明における焼き魚用消臭パックは、次のような構成としている。
【請求項１】
通気性を有する難燃性ペーパー状素材１、１を用いて、紅茶２、２が小ブロック形状に、ほぼ均等に連接封入したことを特徴とする焼き魚用消臭パック。
【請求項２】
【０００５】  紅茶２、２と共に、吸水性の大きい吸水剤３、３を、小ブロック形状に連接封入したものである請求項１記載の焼き魚用消臭パック。
【発明の効果】
【０００６】  本発明は上記のとおり構成されているので、次に記載する効果を奏する。
１．魚を焼く火力で、グリル水入れ皿内の水をお湯になると、グリル水入れ皿内の焼き魚用消臭パック内の紅茶２、２から紅茶の芳香が放出されるので、その芳香が水蒸気と共に焼き魚を包み込み、焼き魚の匂いの大半が消臭される。
２．家屋内で焼き魚をしても、焼き魚の嫌な臭いが室内に籠もらないので、家屋内で焼き魚をする回数が増加し、近年の日本人の焼き魚離れ現象に歯止めがかかり、おいしい焼き魚が各家庭で楽しめるようになる。
３．紅茶２、２と共に、吸水剤３、３を連接封入したものにあっては、吸水剤３、３が水を大量に吸着するので、グリル水入れ皿内の水が蒸発してグリル内が過熱するようなことは極めて起こりにくい。
【発明を実施するための最良の形態】
【０００７】  本発明の発明を実施するための最良の形態について、図面を参照に説明する。
図１、図２は請求項１に関するものである。図１は、紅茶２、２を小ブロック形状に連接封入した焼き魚用消臭パックの平面図である。本発明の焼き魚用消臭パックは、グリル水入れ皿内の水の中に入れて用いるものである。図２は、Ａ−Ａ線断面図である。図１では、通気性を有する難燃性ペーパー状素材１、１を用いて、紅茶２、２を小ブロック形状に連接封入してあるので、紅茶２、２は焼き魚用消臭パックの全面にほぼ均等に封入されている。従って、本焼き魚用消臭パックを、水を入れたグリル水入れ皿内に入れ、魚を焼くのにグリルに火を入れると、グリル水入れ皿内の水が徐々に熱せられることになる。グリル水入れ皿内の水が熱せられると、グリル水入れ皿内の焼き魚用消臭パックに封入されている紅茶２、２から、紅茶２、２の芳香が放たれる。この紅茶２、２から放たれる芳香が、その上に置かれている焼き魚を水蒸気と共に包み込むので、焼き魚の嫌な臭いは、その大半が消臭される。【０００８】  元来、紅茶２、２は、茶の樹の若葉を摘み取り、発酵させたものである。茶の若葉を発酵醸成させると紅茶色となり、芳香を放つ茶葉に変身するのである。これを乾燥させたものが紅茶２、２であるから、紅茶２、２をお湯に入れると芳香を放つのである。本発明は、この紅茶２、２が放つ芳香を、焼き魚の嫌な臭い取りに活用したものである。本発明を用いることで、家庭での焼き魚離れに歯止めがかかり、各家庭でおいしい焼き魚が日常的に食されることを願って止まないものである。本発明は、紅茶２、２を通気性を有する難燃性ペーパー状素材１、１を用いて、焼き魚用消臭パックの全面にほぼ均等に封入してあるので、グリル水入れ皿内の水が熱せられることで、紅茶２、２から芳香がグリル水入れ皿内の水の中に満遍なく放出されることになる。【０００９】  図３は、請求項２に関するもので、Ｂ−Ｂ線断面図である。本実施例では、通気性を有する難燃性ペーパー状素材１、１を用いて、紅茶２、２と共に、吸水性の大きい吸水剤３、３を小ブロック形状に連接封入してある。吸水剤３、３は、水を大量に吸着するので、焼き皿をするのに、グリル水入れ皿内の水が蒸発して、グリル水入れ皿内の空焚きという状態は極めて起こりにくい。
【産業上の利用可能性】
【００１０】  本発明は、上記のように構成されているので、その利用方法は焼き魚に限らず、ジンギスカンなどの強い臭いのする焼き肉や、行者ニンニクなどの強力な臭いの野菜焼きに用いても、焼き魚と同様に家屋内に嫌な臭いが籠もることが起こらない。
【図面の簡単な説明】
【００１１】
【図１】  紅茶２、２を小ブロック形状に連接封入した焼き魚用消臭パックの平面図である。
【図２】  Ａ−Ａ線断面図である。
【図３】  Ｂ−Ｂ線断面図である。
【符号の説明】
【００１２】  （１）  は  通気性を有するペーパー状素材
（２）  は  紅茶
（３）  は  吸水剤
【図１】
2005279208.tif 000003
【図２】
2005279208.tif 000004
【図３】
2005279208.tif 000005